(57)【要約】【課題】  人間が標準光源下で原稿を標準比視感度で見たときの画像と、読取手段が白色ＬＥＤにより光が照射された原稿を読み取ったときの画像とが大きく異なってしまうということを防止する。【解決手段】  原稿に光を照射するための、青色ＬＥＤと黄色発光蛍光体を用いた白色ＬＥＤと、白色ＬＥＤにより光が照射された原稿の画像をモノクロ画像として読み取るＣＣＤと、原稿からＣＣＤへの光路上に設けられ、白色ＬＥＤが照射する光のうち青色ＬＥＤのピーク波長の光の透過を抑制するフィルタを設ける。【選択図】  図３
2010178182.tif 000002
【特許請求の範囲】
【請求項１】
原稿読取位置に光を照射する白色ＬＥＤと、
前記白色ＬＥＤにより光が照射された前記原稿読取位置の原稿の画像をモノクロ画像として読み取るモノクロ読取手段と、
原稿から前記モノクロ読取手段への光路上に設けられ、前記白色ＬＥＤのピーク波長の光の透過を抑制するフィルタと、を有し、
前記フィルタは、前記白色ＬＥＤと前記モノクロ読取手段の積分分光特性のピーク波長が前記白色ＬＥＤのピーク波長よりも長波長になるように光の透過を抑制することを特徴とする原稿読取装置。
【請求項２】
前記白色ＬＥＤは、青色ＬＥＤと黄色発光蛍光体により白色光を発光することを特徴とする請求項１記載の原稿読取装置。
【請求項３】
前記フィルタは、前記青色ＬＥＤのピーク波長の光の透過を抑制することを特徴とする請求項２記載の原稿読取装置。
【請求項４】
前記白色ＬＥＤにより光が照射された原稿の画像をカラー画像として読み取るカラー読取手段を有し、
前記カラー読取手段には、赤色、緑色、青色のカラーフィルタが塗布されていることを特徴とする請求項１記載の原稿読取装置。
【請求項５】
前記モノクロ読取手段の光路上に設けられたフィルタは、前記モノクロ読取手段に塗布されていることを特徴とする請求項４記載の原稿読取装置。
【請求項６】
前記モノクロ読取手段に塗布されたフィルタは、前記カラー読取手段に塗布された緑色のカラーフィルタと同じ材料で、緑色のカラーフィルタよりも薄く塗布されたことを特徴とする請求項５記載の原稿読取装置。
【請求項７】
前記モノクロ読取手段の光路上に設けられたフィルタは、前記モノクロ読取手段から離間して設けられたフィルタであることを特徴とする請求項１記載の原稿読取装置。
【請求項８】
前記モノクロ読取手段はＣＣＤであることを特徴とする請求項１記載の原稿読取装置。
【請求項９】
原稿読取位置に光を照射する白色ＬＥＤと、
前記白色ＬＥＤにより光が照射された前記原稿読取位置の原稿の画像をモノクロ画像として読み取るモノクロ読取手段と、
原稿から前記モノクロ読取手段への光路上に設けられ、所定波長の光の透過を抑制するフィルタと、を有し、
前記フィルタは、前記白色ＬＥＤと前記モノクロ読取手段の積分分光特性の重心が標準比視感度特性の重心に近づくように光の透過を抑制することを特徴とする原稿読取装置。
【発明の詳細な説明】
【技術分野】
【０００１】
本発明は、白色ＬＥＤを光源とした原稿読取装置に関する。
【背景技術】
【０００２】
近年、複写機等に使用される原稿読取装置にカラーイメージセンサとモノクロイメージセンサを備えることが提案されている（特許文献１及び２参照）。
【０００３】
特許文献１には、カラーモード時はＲ，Ｇ，Ｂセンサにより画像を読み取り、モノクロモード時は白黒用センサにより原稿画像を読み取るようにし、モノクロモード時に原稿画像を高速で読み取ることが示されている。特許文献２には、第一の複写モード時は光学フィルタを備えた受光素子列により原稿画像を読み取り、第二の複写モード時は光学フィルタを介しない受光素子列により原稿画像を読み取ることが示されている。
【０００４】
また、近年、低消費電力化のため、原稿読取装置におけるカラー読み取り用の光源として白色ＬＥＤを用いることが提案されている（例えば、特許文献３参照）。白色ＬＥＤには、低コスト化のため、青色ＬＥＤと黄色発光蛍光体を用いたものがある（例えば、特許文献４参照）。
【特許文献１】特開２００２−１１１９６８号公報
【特許文献２】特開２００８−３５５６１号公報
【特許文献３】特開２００５−２３６５３０号公報
【特許文献４】特開２０００−４９３７４号公報
【発明の開示】
【発明が解決しようとする課題】
【０００５】
しかしながら、青色ＬＥＤと黄色発光蛍光体を用いた白色ＬＥＤを、光学フィルタを有するカラーイメージセンサと光学フィルタを有しないモノクロイメージセンサを備える原稿読取装置の光源に用いると次のような問題が生じる。
青色ＬＥＤと黄色発光蛍光体を用いた白色ＬＥＤの分光特性は、図２に示すように、他の波長域に比べて発光強度が高い特定の波長域（４５０ｎｍ付近）を有する。一方、昼光色光源Ｄ６５（ＪＩＳ規格（ＪＩＳ−Ｚ８７２０））の下の人間の標準比視感度特性：国際照明委員会（ＣＩＥ）規格）は、図１１に示すように、ピーク波長域（５５５ｎｍ付近）が白色ＬＥＤのピーク波長域と異なる。そのため、光学フィルタを有しないモノクロイメージセンサは、通常の昼光色の下で見える色味と異なった色味で原稿画像を読み取ってしまう。実際には、モノクロイメージセンサは輝度情報として原稿画像を読み取るので、原稿画像中の各色の輝度（濃度）が、通常の昼光色の下で見たときと異なった輝度（濃度）で読み取られてしまい、原稿画像の濃度再現性の点で問題となる場合がある。
【課題を解決するための手段】
【０００６】
上記課題を解決するため、本発明は、原稿読取位置に光を照射する白色ＬＥＤと、前記白色ＬＥＤにより光が照射された前記原稿読取位置の原稿の画像をモノクロ画像として読み取るモノクロ読取手段と、原稿から前記モノクロ読取手段への光路上に設けられ、前記白色ＬＥＤのピーク波長の光の透過を抑制するフィルタと、を有し、前記フィルタは、前記白色ＬＥＤと前記モノクロ読取手段の積分分光特性のピーク波長が前記白色ＬＥＤのピーク波長よりも長波長になるように光の透過を抑制することを特徴とする原稿読取装置を提供するものである。
【０００７】
また、本発明は、原稿読取位置に光を照射する白色ＬＥＤと、前記白色ＬＥＤにより光が照射された前記原稿読取位置の原稿の画像をモノクロ画像として読み取るモノクロ読取手段と、原稿から前記モノクロ読取手段への光路上に設けられ、所定波長の光の透過を抑制するフィルタと、を有し、前記フィルタは、前記白色ＬＥＤと前記モノクロ読取手段の積分分光特性の重心が標準比視感度特性の重心に近づくように光の透過を抑制することを特徴とする原稿読取装置を提供するものである。
【発明の効果】
【０００８】
本発明によれば、人間が標準光源下で原稿を標準比視感度で見たときの画像と、読取手段が白色ＬＥＤにより光が照射された原稿を読み取ったときの画像とが大きく異なってしまうということを防止できる。
【発明を実施するための最良の形態】
【０００９】
（実施形態１）
図１に本実施形態の原稿読取装置１０１の概略構成図を示す。白色ＬＥＤ（発光ダイオード）１０４は、プラテンガラス１１５（原稿読取位置）に対して光を照射する。白色ＬＥＤ１０４は、青色ＬＥＤと黄色発光蛍光体により白色光を発光する白色ＬＥＤである。青色ＬＥＤはＧａＮ（窒化ガリウム）系ＬＥＤ、黄色発光蛍光体はＹＡＧ（イットリウム・アルミニウム・ガーネット）系蛍光体である。図２は、白色ＬＥＤ１０４の分光特性を示す。プラテンガラス１１５（原稿読取位置）上に載置された原稿１０２は、プラテンカバー１０３に押えられ、白色ＬＥＤ１０４により光が照射される。原稿１０２からの反射光は、ミラー１０５、１０６、１０７、レンズ１０８を介してＣＣＤ（電荷結合素子）１０９へ導かれる。ミラー１０５及び白色ＬＥＤ１０４は光学台１１２により保持され、ミラー１０６及び１０７は光学台１１３により保持されている。光学台１１２及び１１３は、モータ１１１によって原稿に沿って移動させられることにより、原稿１０２を走査することができる。なお、図示していないが、光学台１１２及び１１３を所定位置に静止させた状態で、所定位置を通過するように原稿を移動させることにより、原稿を走査してもよい。
【００１０】
ＣＣＤ１０９は、Ｒ（レッド）、Ｇ（グリーン）、Ｂ（ブルー）、モノクロ用のラインセンサ１０９Ｒ、１０９Ｇ、１０９Ｂ、１０９Ｍを有する４ラインＣＣＤである。ラインセンサ１０９Ｒ、１０９Ｇ、１０９Ｂ、１０９Ｍには、それぞれカラーフィルタ１１９Ｒ、１１９Ｇ、１１９Ｂ、１１９Ｍが塗布されている。カラーフィルタ１１９Ｒ、１１９Ｇ、１１９Ｂはそれぞれ、赤色、緑色、青色のカラーフィルタである。モノクロラインセンサ１０９Ｍに塗布されるカラーフィルタ１１９Ｍについては後ほど詳述する。各ラインセンサは、原稿からの反射光を光電変換することにより、原稿画像を読み取る。ラインセンサ１０９Ｒ、１０９Ｇ、１０９Ｂは原稿画像をカラー画像として読み取るカラー読取部を構成し、ラインセンサ１０９Ｍは原稿画像をモノクロ画像として読み取るモノクロ読取部を構成する。
【００１１】
ＣＣＤ１０９は、基板１１０上に設けられている。基準白色板１１４は、白色ＬＥＤ１０４の点灯光量の主走査方向（ラインセンサの長手方向）のばらつきや、ＣＣＤ１０９の感度ばらつきを測定する際、白色ＬＥＤ１０４により光が照射され、ＣＣＤ１０９により読み取られる。基準白色板１１４の主走査方向の長さは、主走査領域全域をカバーする長さである。
【００１２】
図３（ａ）はＣＣＤ１０９の構成を示す図である。図３（ｂ）はＣＣＤ１０９の側面図である。Ｒ、Ｇ、Ｂ、モノクロ用のラインセンサは、それぞれ主走査方向に７５００画素の撮像素子を有し、１画素の間隔は１０μｍである。これらのＲ、Ｇ、Ｂ、モノクロ用のラインセンサは、副走査方向に２０μｍ間隔で配列されている。撮像素子１画素分の大きさは、１０×１０μｍである。
【００１３】
ＣＣＤ１０９は、カラー読取モード時にはＲ、Ｇ、Ｂ用のラインセンサにより読み取りを行い、モノクロ読取モードにはモノクロ用のラインセンサにより読み取りを行う。モノクロ用のラインセンサで読み取るときは、原稿画像をグレースケールで読み取る。
【００１４】
ＣＣＤ１０９は、ＲＥＤ、ＧＲＥＥＮ、ＢＬＵＥ３つの出力端子を有している。モード設定端子へカラー読取モードを示す信号が入力されている時は、ＲＥＤ、ＧＲＥＥＮ、ＢＬＵＥ３つの出力端子から、それぞれＲ、Ｇ、Ｂ用のラインセンサの７５００画素のデータが出力されるようゲートがスイッチングされる。モード設定端子へモノクロ読取モードを示す信号が入力されている時は、モノクロ用のラインセンサの７５００画素の前半３７５０画素はＲＥＤの出力端子から、後半３７５０画素はＧＲＥＥＮの出力端子から出力されるようゲートがスイッチングされる。従って、モノクロ読取モード時は、カラー読み取りモードの倍の速度で原稿を読み取ることができる。図４は、各読取モードでのＣＣＤ１０９の各出力端子からのデータ出力の様子（フォーマット）を示す。
【００１５】
図５は、本実施形態の原稿読取装置のブロック構成図を示す。Ａ／Ｄコンバータ回路２０１は、ＣＣＤ１０９にて読み取った画像データをＡ／Ｄ変換する。シェーディング補正回路２０２は、Ａ／Ｄコンバータ回路２０１にてＡ／Ｄ変換された読み取り画像データに対してシェーディング補正を行う。シェーディング補正を行うために、白色ＬＥＤ１０４の主走査方向の光量ばらつきや、ＣＣＤ１０９の主走査方向の感度ばらつきを基準白色板１１４を用いて予め検出しておく。そして、基準白色板１１４の読取結果を用いて、読み取り特性が主走査全域に亘り均一となるように、ＣＣＤ１０９の画素毎にゲイン補正及びオフセット補正を行う。
【００１６】
画像処理回路２０３は、シェーディング補正回路２０２にてシェーディング補正された画像データを所定の画像データフォーマットに変換して、データ転送ライン２０４を介してプリンタ等の出力機器へ転送する。モノクロ読取モード時、画像処理回路２０３は、ＣＣＤ１０９のＲＥＤ、ＧＲＥＥＮ出力端子から画像データを、１ラインのモノクロ信号に並べ替えて、データ転送ライン２０４を介してプリンタ等の出力機器へ転送する。
【００１７】
コントローラ２０６は、ＣＣＤ１０９の駆動制御、白色ＬＥＤ１０４の点灯制御を行う。また、コントローラ２０６は、操作部２０７からカラー読取モードやモノクロ読取モードなどのユーザ設定を受け付ける。
【００１８】
カラー読取モードとモノクロ読取モードは、操作部２０７へのユーザからの指示によって切り替わる。カラー読取モードは、主にカラー原稿をカラーで読み取ることを想定したモードである。モノクロ読取モードは、主にモノクロ原稿を読み取ることを想定したモードであるが、カラー原稿をモノクロ画像として読み取るときにも用いられる。モノクロ読取モードでは、カラー読取モードの倍の速度で原稿を読み取ることができる。この場合、ＣＣＤ１０９の駆動速度はカラー読取モード時と同じで、副走査方向の走査速度を倍にする。
【００１９】
図６は、コントローラ２０６が実行する読取処理の制御フローチャートである。コントローラ２０６は、操作部２０７よりカラー読取モード及びモノクロ読取モードのいずれが選択指示されたかを判断し（Ｓ７０１）、指定された読取モードに応じたモード設定信号（カラー読取モード又はモノクロ読取モード）をＣＣＤ１０９のモード設定端子に対して出力し、ＣＣＤ１０９を駆動する（Ｓ７０２、Ｓ７０３）。
【００２０】
次に、コントローラ２０６は、基準白色板１１４を読み取る位置に光学台１１２、１１３を移動させ、白色ＬＥＤ１０４を点灯し、基準白色板１１４をＣＣＤ１０９にて読み取る（Ｓ７０４）。そして、コントローラ２０６は、基準白色板１１４を読み取った結果から、白色ＬＥＤ１０４の光量ばらつき、ＣＣＤ１０９の感度ばらつきを補正するシェーディング補正処理を行う（Ｓ７０５）。次に、コントローラ２０６は、指定されたモードに応じた回転速度でモータ１１１を駆動することにより原稿１０２を走査させ、原稿１０２を読み取る（Ｓ７０６）。モノクロ読取モード時は、カラー読取モード時に比べて倍速でモータ１１１を駆動する。そして、コントローラ２０６は、画像処理回路２０３、データ転送ライン２０４を介してプリンタ等へ画像データを転送させる（Ｓ７０７）。このような制御によって、原稿１０２を読み取り、原稿画像データを出力機器に転送する。
【００２１】
次に、本実施形態の原稿読取装置における分光特性について詳細に説明する。カラー読取モード時の読取分光特性は、主に、ＣＣＤ１０９の分光感度と、ＣＣＤ１０９のＲ、Ｇ、Ｂラインセンサ上に塗布されたカラーフィルタの分光透過率特性と、白色ＬＥＤ１０４の分光特性によって決定される。図７は、カラーフィルタの分光透過率特性を考慮したＣＣＤ１０９の各色ラインセンサの分光感度特性を示す。白色ＬＥＤ１０４の分光特性は、前述したように図２のような分光特性を有する。
【００２２】
図８は、カラーラインセンサの分光感度特性と白色ＬＥＤ１０４の分光特性の積分分光特性を示す。カラー読取モード時は、このような分光特性によってカラー原稿が読み取られる。
【００２３】
モノクロ読取モード時の分光特性は、ＣＣＤ１０９のモノクロラインセンサにカラーフィルタが塗布されていない場合、主に、ＣＣＤ１０９の分光感度、白色ＬＥＤ１０４の分光特性によって決定される。ここで、モノクロ読取モード時に使用するＣＣＤ１０９にカラーフィルタが塗布されていない場合の分光特性について説明する。図９は、カラーフィルタが塗布されていない場合のＣＣＤ１０９のモノクロラインセンサの分光感度特性を示す。図１０は、カラーフィルタが塗布されていない場合のモノクロラインセンサの分光感度特性と白色ＬＥＤ１０４の分光特性の積分分光特性を示す。図１０に示すように、カラーフィルタが塗布されていない場合の、ＣＣＤ１０９のモノクロラインセンサの分光特性と白色ＬＥＤ１０４の分光特性の積分分光特性は、４５０ｎｍ付近の青色ＬＥＤの発光ピーク波長に分光特性のピークがある。
【００２４】
図１１は、視感度特性（ＣＩＥ：国際照明委員会にて規格化されている標準比視感度特性）を示す。図１２は、標準的な昼光色としてＪＩＳ規格にて規定されるＤ６５光源の分光特性を示す。図１３は、視感度特性と標準的な昼光色の分光特性との積分分光特性を示す。図１０に示すＣＣＤ１０９のモノクロラインセンサの分光特性と白色ＬＥＤ１０４の分光特性の積分分光特性は、図１３に示す視感度特性と標準的な昼光色の分光特性との積分分光特性と大きく異なっている。そのため、図１４に示すような分光反射率特性をもった黄色い原稿を読み取った場合、読み取り結果が人間の見た目と大きく相違することがある。
【００２５】
この現象は、白色の原稿と黄色の原稿をそれぞれ読み取った場合に生じる分光特性の差を分析することによって説明できる。カラーフィルタが塗布されていない場合のＣＣＤ１０９の積分分光特性（図１０）で図１５に示すような白色原稿を読み取った場合、図１６に示す読取分光特性となる。また、同じ積分分光特性（図１０）で図１４に示すような黄色原稿を読み取った場合、図１７に示す読取分光特性となる。図１６の斜線部分の面積を１として考えると、図１７の斜線部分の面積は約０．５となり、白色を１とした場合、黄色は０．５という強度で読み取られることになる。
【００２６】
これに対し、図１５に示すような白色原稿をＤ６５光源下で人間が見た場合、図１８に示す分光特性となる。また、図１４に示すような黄色原稿をＤ６５光源下で人間が見た場合、図１９に示す分光特性となる。図１８の斜線部分の面積を１として考えると、図１９の斜線部分の面積は約０．８７となり、白色を１とした場合、黄色は０．８７という強度で見えることになる。
【００２７】
このように、人間がＤ６５光源下で黄色原稿を見た場合の黄色は、カラーフィルタが塗布されていないモノクロラインセンサで読み取った黄色原稿の黄色よりも明るく見えていることになる。すなわち、カラーフィルタが塗布されていないモノクロラインセンサで読み取った黄色原稿の黄色は、人間がＤ６５光源下で見た黄色原稿の黄色よりも濃く読み取られることになり、再現性が良くない場合がある。このように、人間が原稿を見た場合の明るさ（濃度）とカラーフィルタが塗布されていないモノクロラインセンサで読み取った明るさ（濃度）が異なるために、濃度再現性に問題がある場合がある。
【００２８】
このような問題に鑑み、本実施形態では、ＣＣＤ１０９のモノクロラインセンサに図２０に示すような分光感度特性となるような分光透過率特性を有するカラーフィルタ１１９Ｍを塗布する。このカラーフィルタは、青色ＬＥＤと黄色発光蛍光体を用いた白色ＬＥＤのピーク波長である４５０ｎｍ付近の波長の光の透過を抑制し、５４０ｎｍ付近の波長の光を透過する分光透過率特性を有する。このカラーフィルタ１１９Ｍをモノクロラインセンサ１０９Ｍに塗布することにより、白色ＬＥＤで照明した原稿をモノクロラインセンサで読み取ったときの積分分光特性を、図１７に示すＤ６５光源下での標準視感度特性に近似させることができる。
【００２９】
図２０に示した分光特性は一例であり、他にも同様の効果を得る様々な分光特性が考えられる。例えば、ＣＣＤ１０９のモノクロラインセンサに図２１に示すような分光感度特性となるような分光透過率特性を有するカラーフィルタ１１９Ｍを塗布してもよい。このカラーフィルタも、白色ＬＥＤのピーク波長である４５０ｎｍ付近の波長の光の透過を抑制し、５４０ｎｍ付近及びそれ以上の波長の光を透過する分光透過率特性を有するので、図１７に示すＤ６５光源下での視感度特性に近似させることができる。
【００３０】
図２２は、図２０に示すカラーフィルタが塗布された場合のＣＣＤ１０９のモノクロラインセンサと白色ＬＥＤ１０４の分光特性の積分分光特性を示す。図２２に示すように、白色ＬＥＤのピーク波長（青色ＬＥＤのピーク波長）である所定波長（４５０ｎｍ付近）の光の透過がカラーフィルタにより抑制されている。カラーフィルタが塗布されていないＣＣＤと白色ＬＥＤの積分分光特性を示す図１０と比較してわかるように、カラーフィルタはＣＣＤと白色ＬＥＤの積分分光特性のピーク波長が白色ＬＥＤのピーク波長よりも長波長になるように光の透過を抑制している。また、標準比視感度特性を示す図１１を参照しながら、図２２と図１０とを比較してわかるように、カラーフィルタは白色ＬＥＤとＣＣＤの積分分光特性の重心が標準比視感度特性の重心に近づくように光の透過を抑制している。
【００３１】
図２０に示す分光特性を有するカラーフィルタが塗布されたモノクロラインセンサで図１５に示すような白色原稿を読み取った場合、図２３に示す読取分光特性となる。また、図２０に示す分光特性を有するカラーフィルタが塗布されたモノクロラインセンサで図１４に示すような黄色原稿を読み取った場合、図２４に示す読取分光特性となる。
【００３２】
図２３の斜線部分の面積を１として考えると、図２４の斜線部分の面積は０．８２となる。前述したように、白色原稿をＤ６５光源下で人間が見た場合の強度を１とすると、黄色原稿をＤ６５光源下で人間が見た場合の強度は０．８７である。このように、白色ＬＥＤが照射する光のうち所定波長の光（青色ＬＥＤのピーク波長の光）の透過を抑制するフィルタを用いることにより、青色ＬＥＤと黄色発光蛍光体を用いた白色ＬＥＤにより原稿を照明したとしても、人間の視感度特性に近い読み取りを行うことができる。よって、原稿の見た目と読み取り画像出力の見た目が異なる問題を防ぐことができる。
【００３３】
ここで、図２０及び図２１に示す分光特性を有するカラーフィルタの詳細について説明する。図２０の分光特性は、図８に示すＣＣＤ１０９のＧＲＥＥＮセンサに使用しているカラーフィルタと同様の材料を、ＧＲＥＥＮセンサよりも薄く塗布することで実現される。ＧＲＥＥＮセンサと同じカラーフィルタ材料を使用することにより、ＣＣＤ１０９の各ラインセンサへのカラーフィルタ塗布工程を簡略化することが可能となり、製造コストを下げることができる。
【００３４】
また、モノクロラインセンサにカラーフィルタを薄く塗布するのは、前述したようにモノクロ読み取り時に原稿を高速で読み取るために、カラーラインセンサよりも受光光量を多くするためである。仮に、モノクロラインセンサにＧＲＥＥＮセンサと同じ厚みのカラーフィルタを塗布した場合、光源の光量を増加させない限り、モノクロモードでカラーモードよりも原稿を高速に読み取ると、モノクロラインセンサの受光光量が減少する。受光光量の減少分は、ＣＣＤ１０９の出力信号を増幅することにより補えるが、増幅時にＣＣＤ１０９の出力信号が持っているノイズ成分も増幅してしまうため、画像のＳＮ比が劣化する。このような不具合を回避するため、ＣＣＤ１０９のＧＲＥＥＮセンサに使用しているカラーフィルタと同様の材料を薄く塗布する。ＣＣＤ１０９のＧＲＥＥＮセンサに使用しているカラーフィルタと同様の材料を薄く塗布することで、４５０ｎｍ付近の青色ＬＥＤの発光ピーク波長の光の透過を抑制し、５４０ｎｍ付近の波長の光の透過するようにしている。
【００３５】
一方、図２１の分光特性を得るには、ＧＲＥＥＮセンサのカラーフィルタ材料とは異なるカラーフィルタ材料を塗布する。そのため、カラーフィルタの塗布工程が増えることとなるが、６００ｎｍ以上の分光透過率が高いため、モノクロラインセンサの受光光量をより多くすることができ、ＳＮ比が向上する。
【００３６】
（実施形態２）
実施形態１ではカラー読取可能な原稿読取装置について説明したが、本実施形態ではモノクロ読取のみ可能な原稿読取装置について説明する。モノクロ読取専用なので、光源は白色である必要がないが、開発コストや製造コストを削減するため、カラー読取可能な原稿読取装置の光源と同じ白色ＬＥＤを用いられる。実施形態１と同様に、青色ＬＥＤと黄色発光蛍光体を用いた白色ＬＥＤを光源として用いると、前述したような問題が生じる。
【００３７】
そこで、本実施形態では、図２５に示すように、モノクロラインセンサのみを有するＣＣＤ１０９と原稿との間の光路上に、図２０または図２１に示す分光透過率特性のフィルタが塗布されたフィルタガラス１２０がＣＣＤ１０９から離間して設けられる。ＣＣＤ１０９にフィルタを塗布する代わりにフィルタガラス１２０を設けることで、実施形態１と同様の効果が得られる。また、ＣＣＤ１０９にフィルタを塗布する代わりにフィルタガラス１２０を設けることにより、次のような効果も得られる。
【００３８】
ＣＣＤ１０９の読み取り画素上への微小なゴミの付着等も許容できないため、ＣＣＤ１０９へカラーフィルタを塗布する工程はクリーンルームにて実施される。このクリーンルームでのカラーフィルタの塗布工程は、コストアップの要因となり得る。また、ゴミの付着を完全に排除することはクリーンルームでも難しいため、ゴミの付着による製造上の歩留まりの問題も発生する。ＣＣＤ１０９は１画素あたり１０×１０μｍであり、ＣＣＤ１０９へカラーフィルタを塗布する工程では、１００μｍ２に対するゴミの影響度合が問題となる。
【００３９】
本実施形態では、レンズ１０８とＣＣＤ１０９の間にフィルタガラス１２０を設けた。この場合、フィルタガラス１２０の位置がＣＣＤ１０９から離れ、レンズ１０８に近づくにつれて、レンズ１０８からの光束は広がる。例えば、１画素は略５００μｍ×５００μｍ＝２５００００μｍ２となる。従って、フィルタガラス１２０にフィルタを塗布する際にゴミが付着したとしても、２５００００μｍ２に対するゴミの影響度となるため、影響度を抑えることができる。
【００４０】
これにより、微小なゴミを許容できるようになるため、製造コストを下げたフィルタガラス１２０を製造することが可能としつつ、原稿の見た目と読み取り画像出力の見た目が異なる問題を防ぐことができる。
【図面の簡単な説明】
【００４１】
【図１】本発明の一実施形態の原稿読取装置の構成を示す図である。
【図２】青色ＬＥＤと黄色発光蛍光体を用いた白色ＬＥＤの分光特性を示す図である。
【図３】ＣＣＤ１０９の構成を示す図である。
【図４】各読取モードでのＣＣＤ１０９の各出力端子からのデータ出力の様子を示す図である。
【図５】原稿読取装置のブロック構成図である。
【図６】コントローラ２０６が実行する読取処理の制御フローチャートである。
【図７】カラーフィルタの分光透過率特性を考慮したＣＣＤ１０９の各色ラインセンサの分光感度特性を示す図である。
【図８】カラーラインセンサの分光感度特性と白色ＬＥＤ１０４の分光特性の積分分光特性を示す図である。
【図９】カラーフィルタが塗布されていない場合のＣＣＤ１０９の分光感度特性を示す図である。
【図１０】カラーフィルタが塗布されていない場合のＣＣＤ１０９の分光感度特性と白色ＬＥＤ１０４の分光特性の積分分光特性を示す図である。
【図１１】標準比視感度を示す図である。
【図１２】標準光源の分光特性を示す図である。
【図１３】標準光源と標準比視感度の積分分光特性を示す図である。
【図１４】黄色原稿の分光反射率特性を示す図である。
【図１５】白色原稿の分光反射率特性を示す図である。
【図１６】カラーフィルタが塗布されていないＣＣＤ１０９により白色原稿を読み取ったときの積分分光特性を示す図である。
【図１７】カラーフィルタが塗布されていないＣＣＤ１０９により黄色原稿を読み取ったときの積分分光特性を示す図である。
【図１８】標準光源下で白色原稿を標準比視感度で見たときの積分分光特性を示す図である。
【図１９】標準光源下で黄色原稿を標準比視感度で見たときの積分分光特性を示す図である。
【図２０】本実施形態のフィルタを塗布したＣＣＤ１０９の分光感度特性を示す図である。
【図２１】本実施形態の別のフィルタを塗布したＣＣＤ１０９の分光感度特性を示す図である。
【図２２】本実施形態のフィルタが塗布されたＣＣＤ１０９の分光感度特性と白色ＬＥＤ１０４の分光特性の積分分光特性を示す図である。
【図２３】本実施形態のフィルタを塗布したＣＣＤ１０９により白色原稿を読み取ったときの積分分光特性を示す図である。
【図２４】本実施形態のフィルタを塗布したＣＣＤ１０９により黄色原稿を読み取ったときの積分分光特性を示す図である。
【図２５】本発明の他の実施形態の原稿読取装置の構成を示す図である。
【符号の説明】
【００４２】
１０４  白色ＬＥＤ
１０９  ＣＣＤ
１１９  カラーフィルタ
１２０  フィルタガラス
【図１】
2010178182.tif 000003
【図２】
2010178182.tif 000004
【図３】
2010178182.tif 000005
【図４】
2010178182.tif 000006
【図５】
2010178182.tif 000007
【図６】
2010178182.tif 000008
【図７】
2010178182.tif 000009
【図８】
2010178182.tif 000010
【図９】
2010178182.tif 000011
【図１０】
2010178182.tif 000012
【図１１】
2010178182.tif 000013
【図１２】
2010178182.tif 000014
【図１３】
2010178182.tif 000015
【図１４】
2010178182.tif 000016
【図１５】
2010178182.tif 000017
【図１６】
2010178182.tif 000018
【図１７】
2010178182.tif 000019
【図１８】
2010178182.tif 000020
【図１９】
2010178182.tif 000021
【図２０】
2010178182.tif 000022
【図２１】
2010178182.tif 000023
【図２２】
2010178182.tif 000024
【図２３】
2010178182.tif 000025
【図２４】
2010178182.tif 000026
【図２５】
2010178182.tif 000027